(57)【特許請求の範囲】
【請求項１】
圧縮機（53）と、空気の水分を吸着する吸着剤が担持された第１吸着熱交換器（51）および第２吸着熱交換器（52）と、冷媒の循環方向を可逆に切り換える冷媒流路切換手段（54）とが接続され、冷媒が循環して冷凍サイクルを行う冷媒回路（50）を備え、
上記冷媒流路切換手段（54）の切換によって上記２つの吸着熱交換器（51,52）で吸着剤の吸着動作と再生動作が交互に行われ、該各吸着熱交換器（51,52）へそれぞれ室内空気および室外空気を通過させて該通過後の何れか一方の空気を室内へ供給する調湿装置であって、
上記各吸着熱交換器（51,52）を通過する前の室内空気および室外空気の温度を検出する内気温度センサ（98）および外気温度センサ（99）を備え、
上記冷媒流路切換手段（54）の切換時に、少なくとも上記内気温度センサ（98）および外気温度センサ（99）の各検出値に基づいて、上記冷媒回路（50）の高圧圧力が所定値以上とならないように上記圧縮機（53）の運転可能な最高周波数を予測設定する周波数設定手段（C2）を備えている
ことを特徴とする調湿装置。
【請求項２】
請求項１において、
上記周波数設定手段（C2）は、上記冷媒流路切換手段（54）の切換時に、少なくとも上記内気温度センサ（98）および外気温度センサ（99）の各検出値に基づいて、上記冷媒回路（50）の低圧圧力が所定値以下とならないように上記圧縮機（53）の運転可能な最低周波数を予測設定する
ことを特徴とする調湿装置。
【発明の詳細な説明】
【技術分野】
【０００１】
本発明は、調湿装置に関し、特に、冷媒回路の高圧保護対策に係るものである。
【背景技術】
【０００２】
従来より、室外空気や室内空気を調湿し、調湿後の空気を室内へ供給する調湿装置が知られている。この種の調湿装置として、特許文献１には、吸着剤が担持された吸着熱交換器を備えた調湿装置が開示されている。
【０００３】
この特許文献１の調湿装置は、冷媒が循環して冷凍サイクルが行われる冷媒回路を有している。冷媒回路には、圧縮機と、第１吸着熱交換器と、第２吸着熱交換器と、膨張弁と、四方切換弁とが接続されている。圧縮機は、ケーシング内の所定の収容室に設けられている。また、第１吸着熱交換器と第２吸着熱交換器とは、ケーシング内の第１熱交換器室および第２吸着熱交換器室にそれぞれ設けられている。
【０００４】
冷媒回路では、四路切換弁の設定に応じて冷媒の循環方向が可逆に切り換えられる。具体的に、冷媒回路では、四方切換弁が所定時間おきに切り換わることで、第１吸着熱交換器が凝縮器として第２吸着熱交換器が蒸発器としてそれぞれ機能する動作と、第１吸着熱交換器が蒸発器として第２吸着熱交換器が凝縮器としてそれぞれ機能する動作とが交互に行われる。蒸発器となる吸着熱交換器では、空気中の水分が吸着剤に吸着される。凝縮器となる吸着熱交換器では、吸着剤から水分が脱離して空気に付与される。このように、各吸着熱交換器では、四方切換弁の切換によって、水分を吸着する吸着動作と水分が脱離する再生動作とが交互に行われる。
【０００５】
そして、この調湿装置では、各吸着熱交換器を通過した空気の一方を室内へ供給して他方を室外へ排出することにより、除湿運転または加湿運転が行われる。例えば、除湿運転の場合は、蒸発器となる吸着熱交換器を通過した空気が室内へ供給され、加湿運転の場合は、凝縮器となる吸着熱交換器を通過した空気が室内へ供給される。
【０００６】
また、特許文献１の調湿装置は、圧縮機の運転周波数（即ち、圧縮機の容量）を制御することで、冷媒回路内における冷媒の循環量が調節可能となっている。具体的に、この調湿装置では、室内の必要な調湿量（調湿負荷）に応じて圧縮機の運転周波数が制御され、これに伴い吸着熱交換器を流れる冷媒量が変更される。その結果、吸着熱交換器の吸着剤に吸着される水分量、あるいは脱離される水分量が調節され、調湿装置の調湿能力が適宜変化する。
【特許文献１】特開２００５−２９１５３２号公報
【発明の開示】
【発明が解決しようとする課題】
【０００７】
ところで、特許文献１に開示されているような調湿装置の運転時には、その運転条件によっては冷媒回路の高圧が異常上昇してしまうことがある。その結果、圧縮機（特に圧縮機の軸受け等）や冷媒回路に接続された他の構成部品の故障や破損を招く虞がある。
【０００８】
本発明は、かかる点に鑑みてなされたものであり、その目的は、冷媒回路の冷媒循環方向を交互に切り換えながら２つの吸着熱交換器で空気の湿度調節を行う調湿装置において、異常高圧となるのを未然に防止することである。
【課題を解決するための手段】
【０００９】
第１の発明は、圧縮機（53）と、空気の水分を吸着する吸着剤が担持された第１吸着熱交換器（51）および第２吸着熱交換器（52）と、冷媒の循環方向を可逆に切り換える冷媒流路切換手段（54）とが接続され、冷媒が循環して冷凍サイクルを行う冷媒回路（50）を備え、上記冷媒流路切換手段（54）の切換によって上記２つの吸着熱交換器（51,52）で吸着剤の吸着動作と再生動作が交互に行われ、該各吸着熱交換器（51,52）へそれぞれ室内空気および室外空気を通過させて該通過後の何れか一方の空気を室内へ供給する調湿装置を前提としている。そして、本発明の調湿装置は、上記各吸着熱交換器（51,52）を通過する前の室内空気および室外空気の温度を検出する内気温度センサ（98）および外気温度センサ（99）を備えている。さらに、本発明の調湿装置は、上記冷媒流路切換手段（54）の切換時に、少なくとも上記内気温度センサ（98）および外気温度センサ（99）の各検出値に基づいて、上記冷媒回路（50）の高圧圧力が所定値以上とならないように上記圧縮機（53）の運転可能な最高周波数を予測設定する周波数設定手段（C2）を備えているものである。
【００１０】
上記の発明では、冷媒回路（50）において冷媒流路切換手段（54）の切り換えに応じて、２つの動作が交互に行われる。具体的に、冷媒回路（50）では、第１吸着熱交換器（51）が凝縮器（放熱器）として機能すると共に第２吸着熱交換器（52）が蒸発器として機能する蒸気圧縮式冷凍サイクルと、第１吸着熱交換器（51）が蒸発器として機能すると共に第２吸着熱交換器（52）が凝縮器（放熱器）として機能する蒸気圧縮式冷凍サイクルとが交互に行われる。
【００１１】
蒸発器となる吸着熱交換器（51,52）では、低圧冷媒によって該吸着熱交換器（51,52）の吸着剤が冷却される。この状態の吸着熱交換器（51,52）を空気が通過すると、該吸着熱交換器（51,52）の吸着剤に空気が接触し、空気中の水分が吸着剤に吸着される。つまり、吸着剤の吸着動作が行われて空気が除湿される。一方、凝縮器（放熱器）となる吸着熱交換器（52,51）では、高圧冷媒によって該吸着熱交換器（52,51）の吸着剤が加熱される。そうすると、該吸着剤から水分が脱離して空気中へ付与される。つまり、吸着剤の再生動作が行われて空気が加湿される。このように、調湿装置では、冷媒流路切換手段（54）によって冷媒の循環方向が可逆に切り換えられることで、第１吸着熱交換器（51）で吸着動作が行われ且つ第２吸着熱交換器（52）で再生動作が行われる状態と、第１吸着熱交換器（51）で再生動作が行われ且つ第２吸着熱交換器（52）で吸着動作が行われる状態とが交互に切り換えられる。
【００１２】
本発明の調湿装置は、冷媒流路切換手段（54）の切換時即ち冷媒循環方向の切換時に、室内空気の温度と室外空気の温度に基づいて、圧縮機（53）の最高周波数が予測設定される。冷媒流路切換手段（54）の切換後は、この最高周波数を上限値として圧縮機（53）が運転制御される。この最高周波数は、その周波数で圧縮機（53）が運転されても冷媒回路（50）の高圧圧力が所定値以上（異常高圧）にならない値である。
【００１３】
ここで、例えば除湿運転の場合、冷媒流路切換手段（54）の切換から次回の切換までの間においては、室内空気の湿度および温度は次第に高くまたは低くなっていく。つまり、この間は室内空気の温度の変化量が流動的である。したがって、そのような時点の室内空気の温度に基づいて予測すると、最高周波数を適切に設定することができない。一方、冷媒流路切換手段（54）の切換時の室内空気の温度は、一旦一定の値に収束している。よって、本発明のように、冷媒流路切換手段（54）の切換時における室内空気の温度を用いることにより、最高周波数を適切に予測することができる。
【００１４】
第２の発明は、上記第１の発明において、上記周波数設定手段（C2）は、上記冷媒流路切換手段（54）の切換時に、少なくとも上記内気温度センサ（98）および外気温度センサ（99）の各検出値に基づいて、上記冷媒回路（50）の低圧圧力が所定値以下とならないように上記圧縮機（53）の運転可能な最低周波数を予測設定するものである。
【００１５】
上記の発明では、冷媒流路切換手段（54）の切換時に、室内空気の温度と室外空気の温度に基づいて、圧縮機（53）の最低周波数も併せて予測設定される。冷媒流路切換手段（54）の切換後は、この最低周波数を下限値として圧縮機（53）が運転制御される。この最低周波数は、その周波数で圧縮機（53）が運転されても冷媒回路（50）の低圧圧力が所定値以下にならない値である。この場合も、室内空気の温度が一旦収束した値であるため、最低周波数を適切に予測することができる。
【発明の効果】
【００１６】
以上のように、本発明によれば、冷媒流路切換手段（54）の切換時に、室内空気の温度および室外空気の温度に基づいて圧縮機（53）の最高周波数を予測するようにした。したがって、冷媒流路切換手段（54）の切換後の運転では、冷媒回路（50）の高圧圧力が異常高圧になるのを未然に且つ確実に防止することができる。その結果、調湿装置（10）の信頼性を向上させることができる。
【００１７】
さらに、第２の発明によれば、冷媒流路切換手段（54）の切換時に、室内空気の温度および室外空気の温度に基づいて圧縮機（53）の最低周波数までも予測するようにした。したがって、冷媒流路切換手段（54）の切換後の運転では、冷媒回路（50）の低圧圧力が過低下するのを未然に且つ確実に防止することができる。その結果、圧縮機（53）における真空引きや蒸発器側の吸着熱交換器（51,52）の凍結を防止でき、調湿装置（10）の信頼性を一層向上させることができる。
【発明を実施するための最良の形態】
【００１８】
以下、本発明の実施形態を図面に基づいて詳細に説明する。
【００１９】
本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２０】
〈調湿装置の全体構成〉
上記調湿装置（10）について、図１，図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００２１】
上記調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）および電動膨張弁（55）が接続されている。冷媒回路（50）の詳細は後述する。
【００２２】
上記ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００２３】
上記ケーシング（11）には、外気吸込口（24）と、内気吸込口（23）と、給気口（22）と、排気口（21）とが形成されている。外気吸込口（24）および内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００２４】
上記ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００２５】
上記上流側仕切板（71）および下流側仕切板（72）は、前面パネル部（12）および背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００２６】
上記第１仕切板（74）および第２仕切板（75）は、第１側面パネル部（14）および第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００２７】
上記中央仕切板（73）は、上流側仕切板（71）および下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００２８】
上記ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と、内気湿度センサ（96）および内気温度センサ（98）とが設置されている。外気側通路（34）は、外気吸込口（24）に接続するダクトを介して室外空間と連通している。外気側通路（34）には、外気側フィルタ（28）と、外気湿度センサ（97）および外気温度センサ（99）とが設置されている。
【００２９】
上記内気湿度センサ（96）および内気温度センサ（98）は、それぞれ内気側通路（32）における室内空気の相対湿度および温度を検出するものである。外気湿度センサ（97）および外気温度センサ（99）は、それぞれ外気側通路（34）における室外空気の相対湿度および温度を検出するものである。
【００３０】
上記ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。
【００３１】
上記各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面および背面が上流側仕切板（71）および下流側仕切板（72）と平行になる姿勢で、熱交換器室（37,38）内に立設されている。
【００３２】
上記ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００３３】
上記上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００３４】
上記下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００３５】
上記ケーシング（11）内において、給気側通路（31）および排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００３６】
上記給気ファン室（36）には、給気ファン（26）が収容されている。また、排気ファン室（35）には排気ファン（25）が収容されている。給気ファン（26）および排気ファン（25）は、何れも遠心型の多翼ファン（いわゆるシロッコファン）である。給気ファン室（36）は、下流側仕切板（72）側から吸い込んだ空気を給気口（22）へ吹き出す。排気ファン室（35）は、下流側仕切板（72）側から吸い込んだ空気を排気口（21）へ吹き出す。
【００３７】
上記給気ファン室（36）には、冷媒回路（50）の圧縮機（53）と四方切換弁（54）とが収容されている。圧縮機（53）および四方切換弁（54）は、給気ファン室（36）における給気ファン（26）と仕切板（77）との間に配置されている。
【００３８】
上記ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）および給気ファン室（36）から区画されている。仕切板（78）のうち給気ファン室（36）に臨む部分には、第１バイパス用ダンパ（83）が設けられている。
【００３９】
上記ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）および排気ファン室（35）から区画されている。仕切板（79）のうち排気ファン室（35）に臨む部分には、第２バイパス用ダンパ（84）が設けられている。
【００４０】
なお、図２の右側面図および左側面図では、第１バイパス通路（81）、第２バイパス通路（82）、第１バイパス用ダンパ（83）および第２バイパス用ダンパ（84）の図示を省略している。
【００４１】
〈冷媒回路の構成〉
図３に示すように、冷媒回路（50）は、第１吸着熱交換器（51）、第２吸着熱交換器（52）、圧縮機（53）、四方切換弁（54）および電動膨張弁（55）が設けられた閉回路である。この冷媒回路（50）は、充填された冷媒を循環させることによって、蒸気圧縮冷凍サイクルを行う。
【００４２】
上記冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００４３】
上記四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。つまり、四方切換弁（54）は、本発明に係る冷媒流路切換手段を構成している。
【００４４】
上記冷媒回路（50）において、圧縮機（53）の吐出側と四方切換弁（54）の第１のポートとを繋ぐ配管には、高圧圧力センサ（91）と、吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００４５】
また、上記冷媒回路（50）において、圧縮機（53）の吸入側と四方切換弁（54）の第２のポートとを繋ぐ配管には、低圧圧力センサ（92）と、吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００４６】
また、上記冷媒回路（50）において、四方切換弁（54）の第３のポートと第１吸着熱交換器（51）とを繋ぐ配管には、配管温度センサ（95）が取り付けられている。配管温度センサ（95）は、この配管における四方切換弁（54）の近傍に配置され、配管内を流れる冷媒の温度を計測する。
【００４７】
〈コントローラの構成〉
上記調湿装置（10）には、コントローラ（C）が設けられている。図１および図２では省略されているが、ケーシング（11）の前面パネル部（12）には電装品箱が取り付けられており、この電装品箱に収容された制御基板がコントローラ（C）を構成している。
【００４８】
上記コントローラ（C）には、内気湿度センサ（96）、内気温度センサ（98）、外気湿度センサ（97）および外気温度センサ（99）の検出値が入力される。また、コントローラ（C）には、冷媒回路（50）に設けられた各センサ（91,92,…）の検出値が入力される。さらに、コントローラ（C）には、ユーザが操作するリモコン（図示省略）等から出力される操作信号が入力される。
【００４９】
上記コントローラ（C）は、入力されたこれら操作信号および検出値に基づいて、調湿装置（10）の運転制御を行う。具体的には、コントローラ（C）は、各ダンパ（41〜48,83,84）、各ファン（25,26）、圧縮機（53）、電動膨張弁（55）および四方切換弁（54）の動作を制御する。
【００５０】
さらに、上記コントローラ（C）は、図４に示すように、運転モード判定部（C1）および圧縮機周波数算出部（C2）を備えている。
【００５１】
上記運転モード判定部（C1）は、リモコンの操作信号に応じて「通常モード」と「自動モード」を切り換える。「通常モード」は、ユーザが後述する除湿運転、加湿運転、調湿運転および換気運転の何れかの運転モードを選択して実行するものである。「自動モード」は、四方切換弁（54）の切換時に、除湿運転、加湿運転、換気運転、パージ運転およびパージ送風の何れかの運転モードが自動的に選択されて実行されるものである。
【００５２】
上記圧縮機周波数算出部（C2）は、四方切換弁（54）の切換時即ち運転モード判定部（C1）による運転モードの自動選択時に併せて、圧縮機（53）の最高周波数および最低周波数を予測設定するものであり、本発明に係る周波数設定手段を構成している。なお、コントローラ（C）の詳細な制御動作については後述する。
【００５３】
−運転動作−
先ず、調湿装置（10）で可能な各運転モード（主として、除湿運転、加湿運転、換気運転、パージ運転およびパージ送風）について説明する。なお、調湿運転のモードは、室内の湿度とその目標湿度等に基づいて、自動的に除湿運転または加湿運転が選択されて実行されるものである。
【００５４】
除湿運転中や加湿運転中の調湿装置（10）は、取り込んだ室外空気（OA）を湿度調節してから供給空気（SA）として室内へ供給すると同時に、取り込んだ室内空気（RA）を排出空気（EA）として室外へ排出する。換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。パージ運転は、調湿した空気を室内に供給することを目的とするのではなく、吸着部材（51,52）の臭気物質を離脱させることを目的として、該吸着部材（51,52）に空気を通過させて該吸着部材（51,52）に水分を吸着させる運転である。
【００５５】
〈除湿運転〉
除湿運転中の調湿装置（10）では、後述する第１動作と第２動作が所定の時間間隔（４分間隔）で交互に繰り返される。この除湿運転中において、第１バイパス用ダンパ（83）および第２バイパス用ダンパ（84）は、常に閉状態となる。
【００５６】
除湿運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００５７】
先ず、除湿運転の第１動作について説明する。図４に示すように、この第１動作中には、第１内気側ダンパ（41）、第２外気側ダンパ（44）、第２給気側ダンパ（46）および第１排気側ダンパ（47）が開状態となり、第２内気側ダンパ（42）、第１外気側ダンパ（43）、第１給気側ダンパ（45）および第２排気側ダンパ（48）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００５８】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００５９】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００６０】
次に、除湿運転の第２動作について説明する。図５に示すように、この第２動作中には、第２内気側ダンパ（42）、第１外気側ダンパ（43）、第１給気側ダンパ（45）および第２排気側ダンパ（48）が開状態となり、第１内気側ダンパ（41）、第２外気側ダンパ（44）、第２給気側ダンパ（46）および第１排気側ダンパ（47）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００６１】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００６２】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００６３】
〈加湿運転〉
加湿運転中の調湿装置（10）では、後述する第１動作と第２動作が所定の時間間隔（３分間隔）で交互に繰り返される。この加湿運転中において、第１バイパス用ダンパ（83）および第２バイパス用ダンパ（84）は、常に閉状態となる。
【００６４】
加湿運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００６５】
先ず、加湿運転の第１動作について説明する。図６に示すように、この第１動作中には、第２内気側ダンパ（42）、第１外気側ダンパ（43）、第１給気側ダンパ（45）および第２排気側ダンパ（48）が開状態となり、第１内気側ダンパ（41）、第２外気側ダンパ（44）、第２給気側ダンパ（46）および第１排気側ダンパ（47）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００６６】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００６７】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００６８】
次に、加湿運転の第２動作について説明する。図７に示すように、この第２動作中には、第１内気側ダンパ（41）、第２外気側ダンパ（44）、第２給気側ダンパ（46）および第１排気側ダンパ（47）が開状態となり、第２内気側ダンパ（42）、第１外気側ダンパ（43）、第１給気側ダンパ（45）および第２排気側ダンパ（48）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００６９】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００７０】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００７１】
〈換気運転〉
換気運転中における調湿装置（10）の動作について、図８を参照しながら説明する。
【００７２】
換気運転中の調湿装置（10）では、第１バイパス用ダンパ（83）および第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）および第２排気側ダンパ（48）が閉状態となる。また、換気運転中において、冷媒回路（50）の圧縮機（53）は停止状態となる。
【００７３】
換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００７４】
また、換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００７５】
〈パージ運転〉
パージ運転中の調湿装置（10）の動作について、図９を参照しながら説明する。このパージ運転では、後述する第１パージ動作と第２パージ動作が１回ずつ行われる。第１パージ動作や第２パージ動作の継続時間は、上述した除湿運転等の第１動作や第２動作の継続時間（本実施形態では３〜４分間）よりも長い値に設定される。
【００７６】
パージ運転中の調湿装置（10）では、第１外気側ダンパ（43）、第２外気側ダンパ（44）、第１排気側ダンパ（47）および第２排気側ダンパ（48）が開状態となり、第１内気側ダンパ（41）、第２内気側ダンパ（42）、第１給気側ダンパ（45）、第２給気側ダンパ（46）、第１バイパス用ダンパ（83）および第２バイパス用ダンパ（84）が閉状態となる。また、パージ運転中の調湿装置（10）では、排気ファン（25）だけが運転され、給気ファン（26）は停止したままとなる。
【００７７】
パージ運転中において、外気側通路（34）へ流入した室外空気は、その一部が第１外気側ダンパ（43）を通って第１熱交換器室（37）へ流入し、残りが第２外気側ダンパ（44）を通って第２熱交換器室（38）へ流入する。第１熱交換器室（37）へ流入した空気は、第１吸着熱交換器（51）を通過後に第１排気側ダンパ（47）を通って排気側通路（33）へ流入する。第２熱交換器室（38）へ流入した空気は、第２吸着熱交換器（52）を通過後に第２排気側ダンパ（48）を通って排気側通路（33）へ流入する。そして、排気側通路（33）へ流入した空気は、排気ファン室（35）へ流入し、排気口（21）を通って室外へ排出される。
【００７８】
先ず、第１パージ動作について説明する。第１パージ動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。第１吸着熱交換器（51）では、冷媒が室外空気に対して放熱して凝縮する。第２吸着熱交換器（52）では、室外空気中の水分が吸着剤に吸着され、その際に生じる吸着熱を吸熱して冷媒が蒸発する。
【００７９】
第１パージ動作中において、第２吸着熱交換器（52）における冷媒の蒸発温度が室外空気の露点温度となるように圧縮機（53）の容量が調節され、第２吸着熱交換器（52）から流出した冷媒の過熱度が所定の目標値となるように電動膨張弁（55）の開度が調節される。圧縮機（53）の容量制御や電動膨張弁（55）の開度制御は、コントローラ（C）によって行われる。コントローラ（C）の詳細な制御動作については、後述する。
【００８０】
このように、第１パージ動作中には、第２吸着熱交換器（52）に空気中の水分が吸着されてゆく。そして、第１パージ動作の終了直前において、第２吸着熱交換器（52）の含水率（即ち、吸着熱交換器に吸着されている水分量の、吸着熱交換器が吸着可能な水分量に対する割合）が９０％以上になる。除湿運転や加湿運転において、第１動作の終了直前における第２吸着熱交換器（52）の含水率は、７０％程度である。従って、第１パージ動作の終了直前における第２吸着熱交換器（52）の含水量は、第１動作の終了直前における第２吸着熱交換器（52）の含水量よりも多くなる。
【００８１】
ここで、調湿装置（10）は空気の湿度を調節するためのものであるため、そこでは水（Ｈ2Ｏ）を吸着する能力の高い吸着剤が用いられる。また、空気中に存在する水蒸気の量は臭気物質の量に比べて非常に多くいため、空気における水蒸気の分圧は臭気物質の分圧に比べて非常に高い。従って、吸着熱交換器（51,52）の吸着剤に対する吸着力は、水の方が臭気物質に比べて高くなる。
【００８２】
このため、第１パージ動作によって第２吸着熱交換器（52）の含水率が高くなると、吸着剤に対する吸着力の強い水蒸気が優先的に吸着剤に吸着され、それまで吸着剤に吸着されていたアンモニア等の臭気物質が吸着剤から脱離してゆく。第２吸着熱交換器（52）から脱離した臭気物質は、第２吸着熱交換器（52）を通過する室外空気と共に流れて室外へ排出される。
【００８３】
次に、第２パージ動作について説明する。第２パージ動作中の冷媒回路（50）では、四方切換弁（54）が第２状態（図３(Ｂ)に示す状態）に設定され、第２吸着熱交換器（52）が凝縮器となって第１吸着熱交換器（51）が蒸発器となる。第２吸着熱交換器（52）では、冷媒が室外空気に対して放熱して凝縮する。第１吸着熱交換器（51）では、室外空気中の水分が吸着剤に吸着され、その際に生じる吸着熱を吸熱して冷媒が蒸発する。
【００８４】
第２パージ動作中において、第１吸着熱交換器（51）における冷媒の蒸発温度が室外空気の露点温度となるように圧縮機（53）の容量が調節され、第１吸着熱交換器（51）から流出した冷媒の過熱度が所定の目標値となるように電動膨張弁（55）の開度が調節される。圧縮機（53）の容量制御や電動膨張弁（55）の開度制御は、コントローラ（C）によって行われる。
【００８５】
このように、第２パージ動作中には、第１吸着熱交換器（51）に空気中の水分が吸着されてゆく。そして、第２パージ動作の終了直前において、第１吸着熱交換器（51）の含水率が９０％以上になる。除湿運転や加湿運転において、第２動作の終了直前における第１吸着熱交換器（51）の含水率は、７０％程度である。従って、第２パージ動作の終了直前における第１吸着熱交換器（51）の含水量は、第１動作の終了直前における第１吸着熱交換器（51）の含水量よりも多くなる。
【００８６】
上述したように、吸着熱交換器（51,52）の吸着剤に対する吸着力は、水の方が臭気物質に比べて高くなる。このため、第２パージ動作によって第１吸着熱交換器（51）の含水率が高くなると、吸着剤に対する吸着力の強い水蒸気が優先的に吸着剤に吸着され、それまで吸着剤に吸着されていたアンモニア等の臭気物質が吸着剤から脱離してゆく。第１吸着熱交換器（51）から脱離した臭気物質は、第１吸着熱交換器（51）を通過する室外空気と共に流れて室外へ排出される。
【００８７】
〈パージ送風〉
このパージ送風は、上述したパージ運転において圧縮機（53）を停止させて行う運転である。つまり、パージ送風は、冷媒回路（50）の冷凍サイクルを停止させた状態で、排気ファン（25）のみを運転して吸着熱交換器（51,52）の臭気物質を脱離させる運転である。
【００８８】
〈コントローラの制御動作〉
コントローラ（C）は、除湿運転および加湿運転の場合、第１動作と第２動作の切換毎に、圧縮機（53）の運転周波数および電動膨張弁（55）の開度を設定する。
【００８９】
また、コントローラ（C）の運転モード判定部（C1）は、リモコンの操作信号に応じて「通常モード」と「自動モード」を切り換える。「通常モード」の場合、コントローラ（C）は、ユーザによって選択された運転モード（除湿運転、加湿運転および換気運転）を実行する。一方、「自動モード」の場合、コントローラ（C）は、以下に説明する制御フローによって運転モードを自動的に選択する。
【００９０】
この運転モードの自動選択は、除湿運転および加湿運転中においては１２分間おきに行われる。この１２分は、除湿運転における第１動作および第２動作の切換時間である４分と、加湿運転における第１動作および第２動作の切換時間である３分の最小公倍数である。また、換気運転中においては１０分おきに運転モードの自動選択が行われる。
【００９１】
図１０に示すように、先ず、ステップＳＴ１において、パージフラグがＯＮされているか否かが判定される。ＯＮであるとステップＳＴ２に移行し、ＯＦＦであるとステップＳＴ６に移行する。パージフラグは、除湿運転および加湿運転の運転時間の積算値に基づいて、パージ運転またはパージ送風が運転可能である場合にオンされる。
【００９２】
ステップＳＴ２では、室外空気の絶対湿度（以下、外気絶対湿度Ｒzoという。）等の条件に応じて、パージ送風、パージ運転（図１０では単に「パージ」と記載している。）およびパージフラグＯＦＦの何れかが選択される。この外気絶対湿度Ｒzoは、コントローラ（C）において、外気湿度センサ（97）の検出値（相対湿度）と外気温度センサ（99）の検出値とから算出される。
【００９３】
具体的に、外気絶対湿度Ｒzoが所定値以上であると、「パージ送風」のモードが選択される。また、次の３つの条件（第１条件〜第３条件）の何れか１つを満たす場合は、「パージ運転」のモードが選択される。第１条件は、外気絶対湿度Ｒzoが所定値以上で且つパージ設定が標準であることである。第２条件は、パージ設定が低外気であることである。第３条件は、パージ試運転Ｆ（フラグ）がＯＮであることである。これ以外の場合は、ステップＳＴ３へ移行し、リモコンがＯＮされているか否かが判定される。リモコンがオンの場合、ステップＳＴ４へ移行してパージフラグがＯＦＦされ、ステップＳＴ１へ戻る。つまり、運転モードの選択をやり直す。一方、リモコンがＯＦＦの場合、ステップＳＴ５へ移行し、パージフラグがＯＦＦされて終了する。リモコンがＯＦＦとは、リモコンの電源がＯＦＦの状態である。なお、パージ設定は、室外空気の温度が所定値より低い場合は「低外気」に設定され、それ以外は「標準」に設定される。
【００９４】
ステップＳＴ６では、外気絶対湿度Ｒzoや室外空気の温度（以下、外気温度Ｔoという。）等の条件に応じて、除湿運転、加湿運転および換気運転の何れかが選択される。外気温度Ｔoは、外気温度センサ（99）の検出値である。
【００９５】
具体的に、ステップＳＴ６において、次の３つの条件（第１条件〜第３条件）を全て満たす場合は「除湿運転」のモードが選択される。第１条件は、外気絶対湿度Ｒzoが所定の演算値以上であることである。この所定の演算値は、除湿設定温度に対する飽和絶対湿度（以下、目標絶対湿度Ｒssatdという。）に所定の除湿係数を乗じた値である。目標温度Ｔaは、ユーザによりリモコンに設定された室内温度の目標値である。第２条件は、外気絶対湿度Ｒzoが所定値以上であることである。第３条件は、現在選択されている運転モードが調湿運転および除湿運転の何れかであることである。
【００９６】
また、ステップＳＴ６において、次の５つの条件（第１条件〜第５条件）を全て満たす場合は「加湿運転」のモードが選択される。第１条件は、外気絶対湿度Ｒzoが所定の演算値以下であることである。この所定の演算値は、加湿設定温度に対する飽和絶対湿度（以下、目標絶対湿度Ｒssathという。）に所定の加湿係数を乗じた値である。第２条件は、外気絶対湿度Ｒzoが所定値以下であることである。第３条件は、外気温度Ｔoが所定の下限値Ｔomin以下であることである。第４条件は、外気温度Ｔoが内気温度Ｔr未満であるか、または外気温度Ｔoが所定値未満であることである。第５条件は、現在選択されている運転モードが調湿運転および加湿運転の何れかであることである。上述した条件以外の場合は、「換気運転」のモードが選択される。
【００９７】
また、上述した運転モード判定部（C1）によって除湿運転または加湿運転が自動選択されると、その除湿運転または加湿運転に対応した圧縮機（53）の最高周波数および最低周波数が圧縮機周波数算出部（C2）によって予測設定される。具体的に、除湿運転が自動選択されると、圧縮機周波数算出部（C2）において圧縮機（53）の最高周波数および最低周波数が次のように設定される。先ず、最低周波数は次のように設定される。判定式「外気温度Ｔo−内気温度Ｔr−係数Ａ×内気絶対湿度Ｒzr」が所定値未満であるか否かが判定される。所定値未満であると、圧縮機（53）の最低周波数が予め設定された値に設定される。所定値以上であると、圧縮機（53）の最低周波数が、算出式「−係数Ａ×内気温度Ｔr＋係数Ｂ×外気絶対湿度Ｒzo−係数Ｃ×内気絶対湿度Ｒzr＋係数Ｄ」で求められる値に設定される。次に、最高周波数は次のように設定される。判定式「外気温度Ｔo＋係数Ａ×内気温度Ｔr」が所定値未満であるか否かが判定される。所定値未満であると、圧縮機（53）の最高周波数が予め設定された値に設定される。所定値以上であると、圧縮機（53）の最高周波数が、算出式「−係数Ａ×外気温度Ｔo−係数Ｂ×内気温度Ｔr＋係数Ｃ×外気絶対湿度Ｒzo＋係数Ｄ×内気絶対湿度Ｒzr＋係数Ｅ」で求められる値に設定される。
【００９８】
次に、加湿運転が自動選択されると、圧縮機周波数算出部（C2）において圧縮機（53）の最高周波数および最低周波数が次のように設定される。先ず、最低周波数は、算出式「−係数Ａ×外気温度Ｔo＋係数Ｂ×外気絶対湿度Ｒzo＋係数Ｃ×内気絶対湿度Ｒzr＋係数Ｄ」で求められる値に設定される。次に、最高周波数は次のように設定される。判定式「外気温度Ｔo＋内気温度Ｔr」が所定値未満であるか否かが判定される。所定値未満であると、圧縮機（53）の最高周波数が予め設定された値に設定される。所定値以上であると、圧縮機（53）の最高周波数が、算出式「−係数Ａ×内気温度Ｔr−係数Ｂ×外気温度Ｔo＋係数Ｃ内気温度Ｔr×外気温度Ｔo＋係数Ｄ」で求められる値に設定される。
【００９９】
以上の判定式および算出式は、冷媒回路（50）の高圧圧力が所定値以上にならないように、また低圧圧力が所定値以下にならないように予め用意されたものである。このようにして設定された最高周波数および最低周波数が上限値および下限値として、その後の圧縮機（53）が運転制御される。
【０１００】
−実施形態の効果−
以上のように、四方切換弁（54）の切換時に、内気温度Ｔr（室内空気の温度）や室外空気の温度に基づいて、圧縮機（53）の最高周波数および最低周波数を予測するようにした。これにより、その後の運転において、冷媒回路（50）の高圧圧力が異常高圧に、低圧圧力が異常低圧にそれぞれなるのを未然に防止することができる。その結果、信頼性の高い調湿装置（10）を提供することができる。
【０１０１】
また、四方切換弁（54）の切換時に合わして予測することから、四方切換弁（54）の切換から次回の切換までの間に予測する場合に比べて、室内空気の温度が収束しより安定した値として用いることができるので、最高周波数等を適切に設定することができる。これにより、冷媒回路（50）における異常高圧および異常低圧を確実に防止することができる。
【０１０２】
また、本実施形態の調湿装置（10）では、除湿運転、加湿運転、換気運転、パージ運転およびパージ送風の何れかの運転モードを自動的に選択して実行する「自動モード」を備えるようにした。したがって、ユーザの手を煩わすことなく、最適な運転モードを選択することができ、室内の快適性を向上させることができる。
【０１０３】
また、換気運転やパージ運転も自動選択されるので、室内の湿度調節だけでなく、室内の単純換気や吸着熱交換器（51,52）の臭気物質除去までも自動的に行うことができる。したがって、室内の快適性を一層向上させることができる。
【０１０４】
また、一般の空調機では、ファンの風量を制御することによって、異常高圧を防止するようにしている。ところが、本実施形態の調湿装置（10）は、除湿運転および加湿運転の場合でも、室内空気と室外空気とを換気しながら行う。このことから、異常高圧を防止するために排気ファン（25）や給気ファン（26）の風量を制限すると、調湿能力を著しく低下させてしまうことになる。そこで、例えば、いわゆる圧縮機（53）の垂下制御を行うことによって、異常高圧を防止することが考えられる。ところが、本実施形態の調湿装置（10）において、圧縮機（53）の垂下制御を行っても、電動膨張弁（55）の開度制御は第１動作と第２動作の切換時に行っていることから、電動膨張弁（55）の開度を圧縮機（53）の運転周波数に追従させることができない。その結果、適切な運転を行うことができなくなる。つまり、本実施形態では、異常高圧の防止のために圧縮機（53）の垂下制御を取り込んだとしても、なるべくその垂下制御は行いたくない。したがって、その場合は、高圧圧力が垂下制御に入る設定圧力以下となるように圧縮機（53）の最高周波数を設定すれば、異常高圧を防止できると共に圧縮機（53）の垂下制御に入るのを阻止することができる。
【０１０５】
−実施形態の変形例１−
本実施形態の冷媒回路（50）では、冷凍サイクルの高圧が冷媒の臨界圧力よりも高い値に設定される超臨界サイクルを行ってもよい。その場合、第１吸着熱交換器（51）および第２吸着熱交換器（52）は、その一方がガスクーラとして動作し、他方が蒸発器として動作する。
【０１０６】
−実施形態の変形例２−
本実施形態の調湿装置（10）では、第１吸着熱交換器（51）および第２吸着熱交換器（52）に担持された吸着剤を冷媒によって加熱しまたは冷却しているが、第１吸着熱交換器（51）および第２吸着熱交換器（52）に対して冷水や温水を供給することで、吸着剤の加熱や冷却を行ってもよい。
【０１０７】
−実施形態の変形例３−
上記実施形態では、調湿装置（10）が次のように構成されていてもよい。
【０１０８】
図１１に示すように、本変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。第１吸着素子（111）および第２吸着素子（112）は、ゼオライト等の吸着剤を備えている。各吸着素子（111,112）には多数の空気通路が形成されており、この空気通路を通過する際に空気が吸着剤と接触する。
【０１０９】
本変形例の調湿装置（10）においても、「自動モード」時に、除湿運転、加湿運転、換気運転、パージ運転およびパージ送風の何れかが自動的に選択されて実行される。また、その自動選択時に、上述したように圧縮機（53）の最高周波数および最低周波数が予測設定される。
【０１１０】
除湿運転中や加湿運転中の調湿装置（10）は、第１動作と第２動作を所定の時間間隔で交互に繰り返し行う。除湿運転中の調湿装置（10）は、室外空気を第１空気として取り込み、室内空気を第２空気として取り込む。一方、加湿運転中の調湿装置（10）は、室内空気を第１空気として取り込み、室外空気を第２空気として取り込む。
【０１１１】
先ず、除湿運転および加湿運転の第１動作について、図１１(Ａ)を参照しながら説明する。第１動作中の調湿装置（10）は、凝縮器（102）で加熱された第２空気を第１吸着素子（111）へ供給する。第１吸着素子（111）では、吸着剤が第２空気によって加熱され、吸着剤から水分が脱離する。また、第１動作中の調湿装置（10）は、第１空気を第２吸着素子（112）へ供給し、第１空気中の水分を第２吸着素子（112）に吸着させる。第２吸着素子（112）に水分を奪われた第１空気は、蒸発器（104）を通過する際に冷却される。
【０１１２】
次に、除湿運転および加湿運転の第２動作について、図１１(Ｂ)を参照しながら説明する。第２動作中の調湿装置（10）は、凝縮器（102）で加熱された第２空気を第２吸着素子（112）へ供給する。第２吸着素子（112）では、吸着剤が第２空気によって加熱され、吸着剤から水分が脱離する。また、第１動作中の調湿装置（10）は、第１空気を第１吸着素子（111）へ供給し、第１空気中の水分を第１吸着素子（111）に吸着させる。第１吸着素子（111）に水分を奪われた第１空気は、蒸発器（104）を通過する際に冷却される。
【０１１３】
そして、除湿運転中の調湿装置（10）は、除湿された第１空気（室外空気）を室内へ供給し、吸着素子（111,112）から脱離した水分を第２空気（室内空気）と共に室外へ排出する。また、加湿運転中の調湿装置（10）は、加湿された第２空気（室外空気）を室内へ供給し、吸着素子（111,112）に水分を奪われた第１空気（室内空気）を室外へ排出する。
【０１１４】
換気運転中の調湿装置（10）では、冷媒回路（100）の圧縮機（101）が停止状態になると共に、第１吸着素子（111）と第２吸着素子（112）のうち一方を室外空気が通過して他方を室内空気が通過する。そして、室外空気は吸着素子（111,112）を通過後に室内へ供給され、室内空気は吸着素子（111,112）を通過後に室外へ排出される。換気運転中の調湿装置（10）において、室外空気や室内空気の流通経路の切り換えは行われない。
【０１１５】
パージ運転中の調湿装置（10）では、室外空気のみが取り込まれ、第１パージ動作と第２パージ動作が交互に行われる。取り込まれた室外空気の一部は、凝縮器（102）へ供給されて加熱され、室外へ排出される。残りの室外空気は、蒸発器（104）へ供給されて冷却される。この冷却された室外空気は、第１パージ動作の場合、第１吸着素子（111）へ供給され、第２パージ動作の場合、第２吸着素子（112）に供給される。各吸着素子（111,112）では、室外空気の水分が吸着剤に吸着される一方、その吸着剤から臭気物質が脱離する。
【０１１６】
なお、以上の実施形態は、本質的に好ましい例示であって、本発明、その適用物、あるいはその用途の範囲を制限することを意図するものではない。
【産業上の利用可能性】
【０１１７】
以上説明したように、本発明は、室内の湿度調節を行うための調湿装置について有用である。
【図面の簡単な説明】
【０１１８】
【図１】前面側から視た調湿装置をケーシングの一部および電装品箱を省略して示す斜視図である。
【図２】調湿装置の一部を省略して示す概略の平面図、右側面図および左側面図である。
【図３】冷媒回路の構成を示す配管系統図であって、(Ａ)は第１動作中の動作を示すものであり、(Ｂ)は第２動作中の動作を示すものである。
【図４】コントローラの構成を示すブロック図である。
【図５】除湿運転の第１動作における空気の流れを示す調湿装置の概略の平面図、右側面図および左側面図である。
【図６】除湿運転の第２動作における空気の流れを示す調湿装置の概略の平面図、右側面図および左側面図である。
【図７】加湿運転の第１動作における空気の流れを示す調湿装置の概略の平面図、右側面図および左側面図である。
【図８】加湿運転の第２動作における空気の流れを示す調湿装置の概略の平面図、右側面図および左側面図である。
【図９】換気運転における空気の流れを示す調湿装置の概略の平面図、右側面図および左側面図である。
【図１０】パージ運転における空気の流れを示す調湿装置の概略の平面図、右側面図および左側面図である。
【図１１】コントローラの制御動作を示すフローチャートである。
【図１２】実施形態の変形例３の調湿装置を示す概略構成図であって、(Ａ)は第１動作中の動作を示すものであり、(Ｂ)は第２動作中の動作を示すものである。
【符号の説明】
【０１１９】
10          調湿装置
50          冷媒回路
51          第１吸着熱交換器
52          第２吸着熱交換器
53          圧縮機
54          四方切換弁（冷媒流路切換手段）
98          内気温度センサ
99          外気温度センサ
C2          圧縮機周波数算出部（周波数設定手段）
【図１】
0005145872.tif 000002
【図２】
0005145872.tif 000003
【図３】
0005145872.tif 000004
【図４】
0005145872.tif 000005
【図５】
0005145872.tif 000006
【図６】
0005145872.tif 000007
【図７】
0005145872.tif 000008
【図８】
0005145872.tif 000009
【図９】
0005145872.tif 000010
【図１０】
0005145872.tif 000011
【図１１】
0005145872.tif 000012
【図１２】
0005145872.tif 000013